(57)【要約】【課題】  本発明はフライパンの把手を受ける器具に関する。【解決手段】チャーハン等を作る時フライパンを上下前後に振るが、数多く作る職人は肩を傷め腱鞘炎になると聞くが、図１のフライパンの受け具１のローラー２に図２のようにフライパンの把手の先を乗せると、上下前後に振れるためフライパンの鍋８の重さが腕に掛からず肩を傷める事がない。又チャーハンを作るにはガスコンロでなければ出来ないが、ＩＨコンロでは図３のようにフライパンの鍋９の底をＩＨの上面に当てるため鍋を上下前後に振ることが出来ない。図３は受け具１のローラーを下げてフライパンの鍋９がＩＨの上面に当たるようにした側面図である。【選択図】図２
2016202862.tif 000002
【特許請求の範囲】
【請求項１】
フライパンの受け具にローラーが上下出来るよう高さ調節溝を設け、調節ねじにて高さをきめベースに固着させ、ベースは磁石にてガスコンロの躯体の上面に取り付け、受け具のローラーにフライパンの把手の先を乗せ、受け具のローラーを上下にスライドさせる高さ調節ねじで高さをきめ、鍋をガスコンロに掛け、フライぱンの把手の先がローラーにのっていることで上下前後する事が出来、フライパンを持ちあげる事がなく鍋の中の材料が攪拌される事を特徴とする、腱鞘炎を防ぐフライパンの受け具の構造
【請求項２】
受け具のローラーの高さ調節ねじにて、フライパンの底がＩＨヒーターに当たるまで下げ、鍋をＩＨヒーターに掛け調理する事を特徴とする、腱鞘炎を防ぐ防ぐフライパンの受け具の構造
【発明の詳細な説明】
【技術分野】
【０００１】本発明は、チヤーハン等を誰でも簡単に作れるようにした、フライパンの受け具の構造である。
【背景技術】
【０００２】従来のフライパンにてチャーハン等を作る場合、フライパンを上下前後に振らなければならなかったが、此れを仕事にしている人は腱鞘炎なる事が多かった。
【特許の開示】
【特許が解決しようとする課題】
【０００３】家庭にてチャーハン等を簡単に作れるようにしたフライパンの受け具の構造である。
【課題を解決するための手段】
【０００４】家庭で家族のためにチャーハンを作る場合は、量が少ないため肩を傷めることはないが、料理人ともなるとフライパンに入れる量が多いため、肩を傷め腱鞘炎になる人が多いと聞くが、チャーハンを作る機械をテレビで放映されていたが、本発明は家庭でチャーハンを作るための簡単なフライパンの受け具の器具であり、フライパンの把手の先を受け具のローラーに乗せると、ローラーの回転によりフライパンを上下前後に振る事が出来る。
【特許の効果】
【０００５】上記のような受け具にフライパンの把手を乗せ握り、上下及び前後に振る事で肩を傷めず家庭でチャーハンを作る事が出来る。
【特許を実施するための最良の形態】
【０００６】フライパンの把手の先をフライパンの受け具のローラーに乗せ、把手を上下前後に振ればフライパンの材料が攪拌される。
【実施例】
【０００７】以下添付図面にて実施例を説明する。
図１は本発明のフライパンの受け具の斜視図であり、受け具１にローラー２を上下するように高さ調節溝５を設け調節ねじ６にて固定し、受け具１をベース３に固定させ、ヘース３はガスコンロの躯体９の上面に磁石４等にて取り付ける。
図２は図１のフライパンの受け具１のローラー２に、フライパン８の把手７の先を乗せた時の側面図であり、フライパンの鍋８をガスコンロ１０に掛け、フライパンの把手７をローラー２に乗せるとローラー２が支点になり把手７を上下するとフライパンの鍋８が上下し、又支点がローラーであるため把手７を前後しながら上下すると、鍋８内の材料がほどよく攪拌される。
図３は図１の受け具１のローラー２をローラー高さ調節ねじ６によりフライパンの鍋８の底がＩＨコンロの躯体１１の上面に付くまで下げる。以上のように図１の受け具のローラー２を高さ調節ねじ６により高さを変え、ガスコンロとＩＨコンロに使用出来るようにしたフライパンの受け具の構造であり、フライパンを持ち上げる事がなく鍋の中の材料が攪拌され、女性でも腕や肩に負担が掛からない事を特徴とする、腱鞘炎を防ぐフライパンの受け具の構造である。
【図面の簡単な説明】
【図１】  受け具の斜視図
【図２】  受け具にフライパンを乗せた側面図  １  受け具  ２  ローラー  ３  受け具を取り付けたベース  ４  磁石  ５  ローラーの高さ調節溝  ６  ローラーの高さ調節ねじ  ７  フライパンの把手  ８  フライパンの鍋  ９  ガスコンロの躯体  １０  ガスコンロ  １１  ＩＨコンロの躯体
【図１】
2016202862.tif 000003
【図２】
2016202862.tif 000004
【図３】
2016202862.tif 000005
【手続補正書】
【提出日】平成27年8月21日(2015.8.21)
【手続補正１】
【補正対象書類名】明細書
【補正対象項目名】全文
【補正方法】変更
【補正の内容】
【発明の詳細な説明】
【技術分野】
【０００１】本発明は、チヤーハン等を誰でも簡単に作れるようにした、フライパンの受け具の構造である。
【背景技術】
【０００２】従来のフライパンにてチャーハン等を作る場合、フライパンを上下前後に振らなければならなかったが、此れを仕事にしている人は腱鞘炎なる事が多かった。
【特許の開示】
【特許が解決しようとする課題】
【０００３】家庭にてチャーハン等を簡単に作れるようにしたフライパンの受け具の構造である。
【課題を解決するための手段】
【０００４】家庭で家族のためにチャーハンを作る場合は、量が少ないため肩を傷めることはないが、料理人ともなるとフライパンに入れる量が多いため、肩を傷め腱鞘炎になる人が多いと聞くが、チャーハンを作る機械をテレビで放映されていたが、本発明は家庭でチャーハンを作るための簡単なフライパンの受け具の器具であり、フライパンの把手の先を受け具のローラーに乗せると、ローラーの回転によりフライパンを上下前後に振る事が出来る。
【特許の効果】
【０００５】上記のような受け具にフライパンの把手を乗せ握り、上下及び前後に振る事で肩を傷めず家庭でチャーハンを作る事が出来る。
【特許を実施するための最良の形態】
【０００６】フライパンの把手の先をフライパンの受け具のローラーに乗せ、把手を上下前後に振ればフライパンの材料が攪拌される。
【実施例】
【０００７】以下添付図面にて実施例を説明する。
図１は本発明のフライパンの受け具の斜視図であり、受け具１にローラー２を上下するように高さ調節溝５を設け調節ねじ６にて固定し、受け具１をベース３に固定させ、ベース３はガスコンロの躯体９の上面に磁石４等にて取り付ける。
図２は図１のフライパンの受け具１のローラー２に、フライパン８の把手７の先を乗せた時の側面図であり、フライパンの鍋８をガスコンロ１０に掛け、フライパンの把手７をローラー２に乗せるとローラー２が支点になり把手７を上下するとフライパンの鍋８が上下し、又支点がローラーであるため把手７を前後しながら上下すると、鍋８内の材料がほどよく攪拌される。
図３は図１の受け具１のローラー２をローラー高さ調節ねじ６によりフライパンの鍋８の底がＩＨコンロの躯体１１の上面に付くまで下げる。以上のように図１の受け具のローラー２を高さ調節ねじ６により高さを変え、ガスコンロとＩＨコンロに使用出来るようにしたフライパンの受け具の構造であり、フライパンを持ち上げる事がなく鍋の中の材料が攪拌され、女性でも腕や肩に負担が掛からない事を特徴とする、腱鞘炎を防ぐフライパンの受け具の構造である。
【図面の簡単な説明】
【０００８】
【図１】受け具の斜視図
【図２】受け具にフライパンを乗せた側面図  １  受け具  ２  ローラー  ３  受け具を取り付けたベース  ４  磁石  ５  ローラーの高さ調節溝  ６  ローラーの高さ調節ねじ  ７  フライパンの把手  ８  フライパンの鍋  ９  ガスコンロの躯体  １０  ガスコンロ  １１  ＩＨコンロの躯体
【図３】受け具のローラーを下げフライパンを乗せた側面図
【手続補正書】
【提出日】平成27年9月11日(2015.9.11)
【手続補正１】
【補正対象書類名】明細書
【補正対象項目名】全文
【補正方法】変更
【補正の内容】
【発明の詳細な説明】
【技術分野】
【０００１】本発明は、チヤーハン等を誰でも簡単に作れるようにした、フライパンの受け具の構造である。
【背景技術】
【０００２】従来のフライパンにてチャーハン等を作る場合、フライパンを上下前後に振らなければならなかったが、此れを仕事にしている人は腱鞘炎になる事が多かった。
【特許の開示】
【特許が解決しようとする課題】
【０００３】家庭にてチャーハン等を簡単に作れるようにしたフライパンの受け具の構造である。
【課題を解決するための手段】
【０００４】
【課題を解決するための手段】
【０００４】家庭で家族のためにチャーハンを作る場合は、量が少ないため肩を傷めることはないが、料理人ともなるとフライパンに入れる量が多いため、肩を傷め腱鞘炎になる人が多いと聞くが、チャーハンを作る機械をテレビで放映されていたが、本発明は家庭でチャーハンを作るための簡単なフライパンの受け具の器具であり、フライパンの把手の先を受け具のローラーに乗せると、ローラーの回転によりフライパンを上下前後に振る事が出来る。
【特許の効果】
【０００５】上記のような受け具にフライパンの把手を乗せ握り、上下及び前後に振る事で肩を傷めず家庭でチャーハンを作る事が出来る。
【特許を実施するための最良の形態】
【０００６】フライパンの把手の先をフライパンの受け具のローラーに乗せ、把手を上下前後に振ればフライパンの材料が攪拌される。
【実施例】
【０００７】以下添付図面にて実施例を説明する。
図１は本発明のフライパンの受け具の斜視図であり、受け具１にローラー２を上下するように高さ調節溝５を設け、高さ調節ねじ６にてローラーの高さを調節し、受け具１をベース３に溶着させベース３はガスコンロ１０又はＩＨコンロ１１の上面に磁石又は吸盤４等にて取り付ける。
図２は図１のフライパンの受け具１のローラー２に、フライパン８の把手７の先を乗せた時の側面図であるが、把手の先の下部を平ら且つ長くとりフライパンの鍋８をガスコンロ１０に掛け、フライパンの把手７をローラー２に乗せるとローラー２が支点になり、把手を上下前後すると鍋８内の材料がほどよく攪拌される。
図３は図１の受け具のローラー２を下げ、フライパンの鍋９の底がＩＨコンロ１１の面に付くまで下げるが、ＩＨコンロではフライパンの鍋９の底が密着しないと熱が伝わらないためチャハンを作るのは図２のガスコンロでないと出来ない。
以上のように図１の受け具のローラー２を高さ調節ねじ６により高さを変え、ガスコンロとＩＨコンロに使用出来るようにしたフライパンの受け具の構造であり、フライパンを持ち上げる事がなく鍋の中の材料が攪拌され、女性でも腕や肩に負担が掛からない事を特徴とする、腱鞘炎を防ぐフライパンの受け具の構造である。
【図面の簡単な説明】
【図１】  受け具の斜視図
【図２】  受け具のローラーにフライパンの把手を乗せた側面図
【図３】  受け具のローラー下げＩＨコンロに乗せた側面図１        受け具
２        ローラー
３        受け具を固着したべーす
４        磁石又は吸盤
５        ローラーの高さ調節溝
６        ローラーの高さ調節ねじ
７        フライパンの把手
８        フライパンの鍋
９        フライパンの鍋
１０      ガスコンロ
１１      ＩＨコンロ
【手続補正２】
【補正対象書類名】図面
【補正対象項目名】全図
【補正方法】変更
【補正の内容】
【図１】
2016202862.tif 000006
【図２】
2016202862.tif 000007
【図３】
2016202862.tif 000008
【手続補正３】
【補正対象書類名】特許請求の範囲
【補正対象項目名】全文
【補正方法】変更
【補正の内容】
【特許請求の範囲】
【請求項１】
フライパンの受け具にローラーの高さ調節溝を設け、高さ調節ねじにてローラーの高さを保ち、受け具をベースに溶着させベースには磁石又は吸盤を取り付け、ガスレンジ又はＩＨレンジの上面に磁着又は吸着させ、受け具のローラーにフライパンの把手の先を乗せるとローラーが回転するため、フライパンの把手を握り前後上下出来るためフライパンの材料が攪拌される事を特徴とする、腱鞘炎を防ぐフライパンの受け具の構造。
【手続補正書】
【提出日】平成28年8月15日(2016.8.15)
【手続補正１】
【補正対象書類名】明細書
【補正対象項目名】全文
【補正方法】変更
【補正の内容】
【発明の詳細な説明】
【技術分野】
【０００１】本発明は、チヤーハン等を誰でも簡単に作れるようにした、フライパンの受け具の構造である。
【背景技術】
【０００２】従来のフライパンにてチャーハン等を作る場合、フライパンを上下前後に振らなければならなかったが、此れを仕事にしている人は腱鞘炎になる事が多かった。
【特許の開示】
【特許が解決しようとする課題】
【０００３】家庭にてチャーハン等を簡単に作れるようにしたフライパンの受け具の構造である。
【課題を解決するための手段】
【０００４】家庭で家族のためにチャーハンを作る場合は、量が少ないため肩を傷めることはないが、料理人ともなるとフライパンに入れる量が多いため、肩を傷め腱鞘炎になる人が多いと聞くが、チャーハンを作る機械をテレビで放映されていたが、本発明は家庭でチャーハンを作るための簡単なフライパンの受け具の器具であり、フライパンの把手の先を受け具のローラーに乗せると、ローラーの回転によりフライパンを上下前後に振る事が出来る。
【特許の効果】
【０００５】上記のような受け具にフライパンの把手を乗せ握り、上下及び前後に振る事で肩を傷めず家庭でチャーハンを作る事が出来る。
【特許を実施するための最良の形態】
【０００６】フライパンの把手の先をフライパンの受け具のローラーに乗せ、把手を上下前後に振ればフライパンの材料が攪拌される。
【実施例】
【０００７】以下添付図面にて実施例を説明する。
図１は本発明のフライパンの受け具の斜視図であり、受け具１にローラー２を上下するように高さ調節溝５を設け、高さ調節ねじ６にてローラーの高さを調節し、受け具１をベース３に固定させる。
図２は図１の側面図であるが、受け具１のベース３はガスコンロ１０又はＩＨコンロ１１の上面にベース３の磁石４にて取り付ける。受け具１のローラー２に、フライパン８の把手７の先を乗せた時の図であるが、フライパンの鍋８をガスコンロ１０に掛け、フライパンの把手７をローラー２に乗せるとローラー２が支点になり、把手を上下前後すると鍋８内の材料がほどよく攪拌される。
図３は図１の受け具のローラー２を下げ、フライパンの鍋９の底がＩＨコンロ１１の面に付くまで下げるが、ＩＨコンロではフライパンの鍋９の底が密着しないと熱が伝わらないためチャハンを作るのは図２のガスコンロでないと出来ない。
以上のように図１の受け具のローラー２を高さ調節ねじ６により高さを変え、ガスコンロとＩＨコンロに使用出来るようにしたフライパンの受け具の構造であり、フライパンを持ち上げる事がなく鍋の中の材料が攪拌され、女性でも腕や肩に負担が掛からない事を特徴とする、腱鞘炎を防ぐフライパンの受け具の構造である。
【図面の簡単な説明】
【図１】受け具の斜視図
【図２】受け具のローラーにフライパンの把手を乗せた側面図
【図３】受け具のローラー下げＩＨコンロに乗せた側面図  １  受け具  ２  ローラー  ３  受け具を固定したベース  ４  磁石  ５  ローラーの高さ調節溝  ６  ローラーの高さ調節ねじ  ７  フライパンの把手  ８  フライパンの鍋  ９  フライパンの鍋  １０  ガスコンロ  １１  ＩＨコンロ
【手続補正２】
【補正対象書類名】図面
【補正対象項目名】全図
【補正方法】変更
【補正の内容】
【図１】
2016202862.tif 000009
【図２】
2016202862.tif 000010
【図３】
2016202862.tif 000011
【手続補正３】
【補正対象書類名】特許請求の範囲
【補正対象項目名】全文
【補正方法】変更
【補正の内容】
【特許請求の範囲】
【請求項１】
フライパンの受け具にローラーの高さ調節溝を設け、高さ調節ねじにてローラーの高さを保ち、受け具をベースに固定させベースには磁石を取り付け、ガスレンジ又はＩＨレンジの上面に磁石にて取り付け、受け具のローラーにフライパンの把手の先を乗せるとローラーが回転するため、フライパンの把手を握り前後上下出来るためフライパンの材料が攪拌される事を特徴とする、腱鞘炎を防ぐフライパンの受け具の構造。